(57)【要約】【課題】  撥水性、撥油性に優れ、水の滑落角が小さい共重合体、撥水撥油剤およびコーティング剤を提供する。【解決手段】  炭素数１〜６のフルオロアルキル基を有する（メタ）アクリレート化合物（Ａ）および（メタ）アクリレート基を３つ以上有する化合物（Ｂ）を含むモノマーを重合してなる共重合体である。炭素数１〜６のフルオロアルキルを有する（メタ）アクリレート化合物（Ａ）１モルに対して、（メタ）アクリレート基を３つ以上有する化合物（Ｂ）を０．００１〜１．０モル含有することが好ましい。【選択図】なし【特許請求の範囲】
【請求項１】
炭素数１〜６のフルオロアルキル基を有する（メタ）アクリレート化合物（Ａ）および（メタ）アクリレート基を３つ以上有する化合物（Ｂ）を含むモノマーを重合してなる共重合体。
【請求項２】
前記炭素数１〜６のフルオロアルキルを有する（メタ）アクリレート化合物（Ａ）１モルに対して、前記（メタ）アクリレート基を３つ以上有する化合物（Ｂ）を０．００１〜１モル含有する、請求項１に記載の共重合体。
【請求項３】
前記（メタ）アクリレート基を３つ以上有する化合物（Ｂ）がイソシアヌレート環構造を有する、請求項１または２に記載の共重合体。
【請求項４】
前記モノマーが、さらに、炭化水素環構造を有する（メタ）アクリレート化合物（Ｃ）を含む、請求項３に記載の共重合体。
【請求項５】
前記（メタ）アクリレート基を３つ以上有する化合物（Ｂ）１モルに対して、前記炭化水素環構造を有する（メタ）アクリレート化合物（Ｃ）を１〜５００モル含有する、請求項３または４に記載の共重合体。
【請求項６】
請求項１〜５のいずれか１項に記載の共重合体を含有する撥水撥油剤。
【請求項７】
請求項６に記載の撥水撥油剤を用いて処理された物品。
【請求項８】
請求項１〜５のいずれか１項に記載の共重合体および樹脂を含有するコーティング剤。
【請求項９】
請求項８に記載のコーティング剤を用いて得られる塗膜。
【発明の詳細な説明】
【技術分野】
【０００１】
本発明は、フッ素を含む共重合体に関する。
【背景技術】
【０００２】
従来、Ｃ８Ｆ１７基を有するフッ素含有ポリマーが撥水撥油剤等に用いられてきた。これらＣ８Ｆ１７基を有するフッ素含有ポリマーは分解物の毒性が懸念されるため、Ｃ６Ｆ１３基やＣ４Ｆ９基含有物への代替が求められている。
【先行技術文献】
【特許文献】
【０００３】
【特許文献１】特開２０１１−９９０７７号公報
【発明の概要】
【発明が解決しようとする課題】
【０００４】
しかしながら、特許文献１に記載の撥水撥油剤は水の滑落角が大きいため、使用条件によっては水が基材表面に滞留し、十分な防汚性が得られないことがわかった。本発明は上記に鑑みてなされたものであり、撥水性、撥油性に優れ、水の滑落角が小さい共重合体を提供することを目的とする。
【課題を解決するための手段】
【０００５】
本発明の共重合体は、炭素数１〜６のフルオロアルキル基を有する（メタ）アクリレート化合物（Ａ）および（メタ）アクリレート基を３つ以上有する化合物（Ｂ）を含むモノマーを重合してなる。
【０００６】
このような構成とすることにより、撥水性、撥油性に優れ、水の滑落角を小さくすることができる。
【０００７】
前記モノマーは、さらに、炭化水素環構造を有する（メタ）アクリレート化合物（Ｃ）を含むことが好ましい。
【０００８】
このような構成とすることにより、撥水性および撥油性により優れ、水の滑落角をより小さくすることができる。
【０００９】
本発明の撥水撥油剤は、本発明の共重合体を含有する。
【００１０】
本発明の物品は、本発明の撥水撥油剤を用いて処理されたものである。
【００１１】
本発明のコーティング剤は、本発明の共重合体および樹脂を含有する。
【００１２】
本発明の塗膜は、本発明のコーティング剤を用いて得られるものである。
【発明の効果】
【００１３】
本発明の共重合体によれば、撥水性や撥油性に優れ、水の滑落角が小さい撥水撥油剤およびコーティング剤が得られる。
【発明を実施するための形態】
【００１４】
本発明の共重合体は、炭素数１〜６のフルオロアルキルを有する（メタ）アクリレート化合物（Ａ）および（メタ）アクリレート基を３つ以上有する化合物（Ｂ）を含むモノマーを重合してなる。なお、本発明において、「（メタ）アクリレート」は、アクリレート又はメタクリレートを意味する。
【００１５】
本発明における炭素数１〜６のフルオロアルキル基を有する（メタ）アクリレート化合物（Ａ）としては、例えば、フルオロアルキル（メタ）アクリレート、フルオロアルキルアルキレン（メタ）アクリレート、フルオロアルキルポリオキシフルオロアルキレン（メタ）アクリレートなどが挙げられる。これらのうち、撥水性および撥油性がより優れ、水や油性成分の滑落角がより小さくなることから、フルオロアルキル（メタ）アクリレートおよびフルオロアルキルアルキレン（メタ）アクリレートが好ましく、フルオロアルキルアルキレン（メタ）アクリレートがより好ましい。また、撥水性および撥油性がより優れ、水の滑落角がより小さくなることから、上記フルオロアルキル基は、炭素数２〜６のフルオロアルキル基であることが好ましく、炭素数４〜６のフルオロアルキル基であることがより好ましい。また、上記フルオロアルキル基は、撥水性および撥油性がより優れ、水の滑落角がより小さくなることから、パーフルオロアルキル基であることが好ましい。なお、本明細書において、「（パー）フルオロ」は、パーフルオロまたはフルオロを意味する。
【００１６】
フルオロアルキル（メタ）アクリレートとしては、例えば、（パー）フルオロメチル（メタ）アクリレート、（パー）フルオロエチル（メタ）アクリレート、（パー）フルオロプロピル（メタ）アクリレート、（パー）フルオロブチル（メタ）アクリレート、（パー）フルオロペンチル（メタ）アクリレート、（パー）フルオロヘキシル（メタ）アクリレートなどが挙げられる。なお、フルオロアルキル（メタ）アクリレートは、下記一般式（１）で表すこともできる。
Ｒｆ−Ｘ  ・・・（１）
ただし、Ｒｆはフルオロアルキル基であり、Ｘはアクリロイル基またはメタクリロイル基である。
【００１７】
フルオロアルキルアルキレン（メタ）アクリレートとしては、例えば、（パー）フルオロメチルメチレン（メタ）アクリレート、（パー）フルオロメチルエチレン（メタ）アクリレート、（パー）フルオロエチルメチレン（メタ）アクリレート、（パー）フルオロエチルエチレン（メタ）アクリレート、（パー）フルオロプロピルメチレン（メタ）アクリレート、（パー）フルオロプロピルエチレン（メタ）アクリレート、（パー）フルオロブチルメチレン（メタ）アクリレート、（パー）フルオロブチルエチレン（メタ）アクリレート、（パー）フルオロメチルペンチレン（メタ）アクリレート、（パー）フルオロペンチルエチレン（メタ）アクリレート、（パー）フルオロヘキシルメチレン（メタ）アクリレート、（パー）フルオロヘキシルエチレン（メタ）アクリレートなどが挙げられる。なお、フルオロアルキルアルキレン（メタ）アクリレートは、下記一般式（２）で表すこともできる。
Ｒｆ−Ｙ−Ｘ  ・・・（２）
ただし、Ｒｆはフルオロアルキル基であり、Ｙはアルキレン基であり、Ｘはアクリロイル基またはメタクリロイル基である。
【００１８】
フルオロアルキルポリオキシフルオロアルキレン（メタ）アクリレートとしては、例えば、（パー）フルオロメチルポリオキシフルオロエチレン（メタ）アクリレート、（パー）フルオロエチルポリオキシフルオロエチレン（メタ）アクリレート、（パー）フルオロプロピルポリオキシフルオロエチレン（メタ）アクリレート、（パー）フルオロブチルポリオキシフルオロエチレン（メタ）アクリレート、（パー）フルオロペンチルポリオキシフルオロエチレン（メタ）アクリレート、（パー）フルオロヘキシルポリオキシフルオロエチレン（メタ）アクリレート、（パー）フルオロヘキシルポリオキシフルオロプロピレン（メタ）アクリレートなどが挙げられる。なお、フルオロアルキルポリオキシフルオロアルキレン（メタ）アクリレートは、下記一般式（３）で表すこともできる。
Ｒｆ−Ｚ−Ｘ  ・・・（３）
ただし、Ｒｆはフルオロアルキル基であり、Ｚはポリオキシフルオロアルキレン基である、Ｘはアクリロイル基またはメタクリロイル基である。
【００１９】
本発明における（メタ）アクリレート基を３つ以上有する化合物（Ｂ）としては、例えば、グリセリントリ（メタ）アクリレート、トリメチロールプロパントリ（メタ）アクリレート、ペンタエリスリトールトリ（メタ）アクリレート、ソルビタントリ（メタ）アクリレートおよびソルビトールトリ（メタ）アクリレートなどのポリオールトリ（メタ）アクリレート、ポリオキシアルキレングリセリントリ（メタ）アクリレート、ポリオキシアルキレントリメチロールプロパントリ（メタ）アクリレート、ポリオキシアルキレンペンタエリスリトールトリ（メタ）アクリレート、ポリオキシアルキレンソルビタントリ（メタ）アクリレートおよびポリオキシアルキレンソルビトールトリ（メタ）アクリレートなどのポリオキシアルキレンポリオールトリ（メタ）アクリレート、トリス（メタ）アクリロキシメチルイソシアヌレート、トリス（メタ）アクリロキシエチルイソシアヌレートおよびトリス（メタ）アクリロキシプロピルイソシアヌレートなどのトリス（メタ）アクリロキシアルキルイソシアヌレート、ペンタエリスリトールテトラ（メタ）アクリレート、ソルビタンテトラ（メタ）アクリレートおよびソルビトールテトラ（メタ）アクリレートなどのポリオールテトラ（メタ）アクリレート、ジペンタエリスリトールペンタ（メタ）アクリレートなどのポリオールペンタ（メタ）アクリレート、ソルビトールヘキサ（メタ）アクリレート、およびジペンタエリスリトールヘキサ（メタ）アクリレートなどのポリオールヘキサ（メタ）アクリレートなどが挙げられる。これらのうち、撥水性および撥油性がより優れ、水の滑落角がより小さくなることから、ポリオールトリ（メタ）アクリレート、ポリオキシアルキレンポリオールトリ（メタ）アクリレートおよびトリス（メタ）アクリロキシアルキルイソシアヌレートが好ましく、トリス（メタ）アクリロキシアルキルイソシアヌレートがより好ましい。
【００２０】
（メタ）アクリレート基を３つ以上有する化合物（Ｂ）は、安定性、撥水性および撥油性がより優れ、水の滑落角がより小さくなることから、フルオロアルキル基を有する（メタ）アクリレート化合物（Ａ）１００質量部に対して、０．５質量部以上であることが好ましく、１質量部以上であることがより好ましく、３質量部以上であることがさらに好ましい。また、１００質量部以下であることが好ましく、８０質量部以下であることがより好ましく、３０質量部以下であることがさらに好ましい。
【００２１】
（メタ）アクリレート基を３つ以上有する化合物（Ｂ）は、安定性、撥水性および撥油性がより優れ、水の滑落角がより小さくなることから、フルオロアルキル基を有する（メタ）アクリレート化合物（Ａ）１モルに対して、０．００１モル以上であることが好ましく、０．０３モル以上であることがより好ましく、０．０８モル以上であることがさらに好ましい。また、１．０モル以下であることが好ましく、０．５モル以下であることがより好ましく、０．２モル以下であることがさらに好ましい。
【００２２】
本発明の共重合体に用いるモノマーは、さらに、炭化水素環構造を有する（メタ）アクリレート化合物（Ｃ）を含むことが好ましい。炭化水素環構造を有する（メタ）アクリレート化合物（Ｃ）としては、例えば、シクロヘキシル（メタ）アクリレート、イソボルニル（メタ）アクリレート、１−アダマンチル（メタ）アクリレートなどの脂環族炭化水素基含有（メタ）アクリレート化合物、ベンジル（メタ）アクリレート、フェノキシエチル（メタ）アクリレートなどの芳香族炭化水素基含有（メタ）アクリレート化合物などが挙げられる。これらのうち、安定性、撥水性および撥油性がより優れ、水の滑落角がより小さくなることから、脂環族炭化水素基含有（メタ）アクリレート化合物が好ましい。
【００２３】
炭化水素環構造を有する（メタ）アクリレート化合物（Ｃ）は、撥水性および撥油性がより優れ、水の滑落角がより小さくなることから、フルオロアルキル基を有する（メタ）アクリレート化合物（Ａ）１００質量部に対して、５質量部以上であることが好ましく、１５質量部以上であることがより好ましく、３０質量部以上であることがさらに好ましい。また、３００質量部以下であることが好ましく、２００質量部以下であることがより好ましく、１５０質量部以下であることがさらに好ましい。
【００２４】
炭化水素環構造を有する（メタ）アクリレート化合物（Ｃ）は、撥水性および撥油性がより優れ、水の滑落角がより小さくなることから、フルオロアルキル基を有する（メタ）アクリレート化合物（Ａ）１モルに対して、０．１モル以上であることが好ましく、０．３モル以上であることがより好ましく、０．５モル以上であることがさらに好ましい。また、１０モル以下であることが好ましく、７モル以下であることがより好ましく、５モル以下であることがさらに好ましい。
【００２５】
炭化水素環構造を有する（メタ）アクリレート化合物（Ｃ）は、撥水性および撥油性がより優れ、水の滑落角がより小さくなることから、（メタ）アクリレート基を３つ有する化合物（Ｂ）１００質量部対して、１００質量部以上であることが好ましく、２００質量部以上であることがより好ましく、３００質量部以上であることがさらに好ましい。また、５０００質量部以下であることが好ましく、４０００質量部以下であることがより好ましく、３０００質量部以下であることがさらに好ましい。
【００２６】
炭化水素環構造を有する（メタ）アクリレート化合物（Ｃ）は、安定性、撥水性および撥油性がより優れ、水の滑落角がより小さくなることから、（メタ）アクリレート基を３つ有する化合物（Ｂ）１モルに対して、１．０モル以上であることが好ましく、５．０モル以上であることがより好ましく、１０モル以上であることがさらに好ましい。また、５００モル以下であることが好ましく、１００モル以下であることがより好ましく、５０モル以下であることがさらに好ましい。
【００２７】
本発明の共重合体に用いるモノマーは、さらに、前記（Ａ）〜（Ｃ）以外の（メタ）アクリレート化合物（Ｄ）を含むことができる。このような化合物としては、例えば、アルキル（メタ）アクリレート、オキシアルキレン基含有（メタ）アクリレートモノマーなどが挙げられる。
【００２８】
アルキル（メタ）アクリレートとしては、例えば、ｎ−ブチル（メタ）アクリレート、２−エチルヘキシル（メタ）アクリレート、ｎ−オクチル（メタ）アクリレート、イソオクチル（メタ）アクリレート、イソノニル（メタ）アクリレート、イソデシル（メタ）アクリレート、ラウリル（メタ）アクリレート、ステアリル（メタ）アクリレート、イソステアリル（メタ）アクリレートおよびイソアミル（メタ）アクリレートが挙げられる。
【００２９】
オキシアルキレン基含有（メタ）アクリレートモノマーとしては、例えば、メトキシポリエチレングリコール（メタ）アクリレート、メトキシポリプロピレングリコール（メタ）アクリレート、ポリエチレングリコールジ（メタ）アクリレート、ポリプロピレングリコールジ（メタ）アクリレート、ビスフェノールＡエチレンオキサイド付加物ジ（メタ）アクリレートなどが挙げられる。
【００３０】
また、グリシジル（メタ）アクリレート、２−ヒドロキシエチル（メタ）アクリレート、２−ヒドロキシプロピル（メタ）アクリレート、４−ヒドロキシブチル（メタ）アクリレート、（メタ）アクリル酸、（メタ）アクリル酸アミド、Ｎ−メチロール（メタ）アクリル酸アミド、ジアセトン（メタ）アクリル酸アミド、イソシアネートエチル（メタ）アクリレート、ポリシロキサンを有する（メタ）アクリレート、２−メタクロイロキシエチルアシッドホスフェート、ジメチルアミノメチル（メタ）アクリレートなども使用できる。
【００３１】
前記（Ａ）〜（Ｃ）以外の（メタ）アクリレート化合物（Ｄ）は、本発明の効果を阻害しない範囲内で、溶剤への溶解性、樹脂との相溶性および基材との密着性などを調整するために使用することができる。撥水性および撥油性がより優れ、水の滑落角がより低くなることから、前記（Ａ）〜（Ｃ）以外の（メタ）アクリレート化合物（Ｄ）は、前記（Ａ）〜（Ｃ）の合計１００質量部対して、１質量部以上であることが好ましく、３質量部以上であることがより好ましい。また、１００質量部以下であることが好ましく、７０質量部以下であることがより好ましい。
【００３２】
炭化水素環構造を有する（メタ）アクリレート化合物（Ｃ）は、撥水性および撥油性がより優れ、水の滑落角がより小さくなることから、（メタ）アクリレート基を３つ有する化合物（Ｂ）１モルに対して、０．０１モル以上であることが好ましく、０．１モル以上であることがより好ましい。また、１モル以下であることが好ましく、０．８モル以下であることがより好ましい。
【００３３】
本発明の共重合体は、撥水性および撥油性がより優れ、水の滑落角がより小さくなることから、重量平均分子量が５，０００〜１００，０００であることが好ましく、１０，０００〜６０，０００であることがより好ましく、１５，０００〜５０，０００であることがさらに好ましく、２０，０００〜４０，０００であることが特に好ましい。なお、重量平均分子量は、ＧＰＣカラムクロマトグラフィ法を用いて、下記の条件で測定することができる。なお、標準サンプルとして分子量２０００、８２５０、及び１９７００のポリエチレングリコールで校正したものを用いた。
・ＧＰＣ装置：システムコントローラー：ＳＣＬ−１０Ａ（島津製作所社製）
・検出器：ＲＩＤ−１０Ａ（島津製作所社製）
・カラム：Ｓｈｏｄｅｘ ＧＰＣ ＫＦ−Ｇ、ＫＦ−８０３、ＫＦ８０２．５、ＫＦ−８０
２、ＫＦ−８０１を連結したもの（いずれも昭和電工社製）
・溶離液：テトラヒドロフラン
・サンプル注入：０．５重量％溶液、８０μＬ
・流速：０．８ｍＬ／ｍｉｎ
・温度：２５℃。
【００３４】
本発明の共重合体の製造方法としては、例えば、パーフルオロアルキル基を有する（メタ）アクリレート化合物（Ａ）、（メタ）アクリレート基を３つ以上有する化合物（Ｂ）、必要により、炭化水素環構造を有する（メタ）アクリレート化合物（Ｃ）、（Ａ）〜（Ｃ）以外の（メタ）アクリレート化合物（Ｄ）、有機溶媒および重合開始剤を混合する工程、得られた混合物を４０〜１２０℃に加熱して、（Ａ）〜（Ｄ）の重合反応を行う工程、とを有する。
【００３５】
重合方法は、溶液重合が好ましい。重合温度は、特に限定されないが、通常は４０〜１２０℃の範囲が好ましい。重合時間は、特に限定されないが、通常は４〜１５時間程度である。
【００３６】
有機溶媒としては、反応を阻害しないものであれば特に限定されず、例えば、脂肪族炭化水素、ジオール化合物誘導体、芳香族炭化水素などを使用することができる。
【００３７】
脂肪族炭化水素としては、例えば、ノナン、デカン、ウンデカン、ドデカン、トリデカン等のアルカン、プロピルシクロヘキサン、イソプロピルシクロヘキサン、１−イソプロピル−４−メチルシクロヘキサン、ブチルシクロヘキサン、ｔ−ブチルシクロヘキサン、１，１，３，５−テトラメチルシクロヘキサン、シクロオクタン、シクロデカン、デカヒドロナフタレン等のシクロアルカン、ナフテン系溶剤（脂肪族環構造を有する飽和炭化水素の混合物）、パラフィン系炭化水素（脂肪族炭化水素の混合物）などが挙げられる。
【００３８】
ジオール化合物誘導体としては、例えば、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、ジエチレングリコールモノメチルエーテルアセテート、ジエチレングリコールモノエチルエーテルアセテート、ジプロピレングリコールモノメチルエーテルアセテート、ジプロピレングリコールモノエチルエーテルアセテート、などのモノアルキルエーテルモノアルキルエステルジオール、エチレングリコールジメチルエーテル、エチレングリコールジエチルエーテル、エチレングリコールジプロピルエーテル、エチレングリコールジブチルエーテル、プロピレングリコールジメチルエーテル、プロピレングリコールジエチルエーテル、プロピレングリコールジプロピルエーテル、プロピレングリコールジブチルエーテル、ジエチレングリコールジメチルエーテル、ジエチレングリコールジエチルエーテル、ジプロピレングリコールジメチルエーテル、ジプロピレングリコールジエチルエーテル、などのジアルキルエーテルジオール、エチレングリコールジアセテート、エチレングリコールジプロピオネートなどのジアルキルエステルジオールなどが挙げられる。
【００３９】
重合開始剤としては、従来公知のものを使用でき、例えば、過酸化ベンゾイル、ｔ−ブチルパーオキシピバレート、ｔ−ブチルパーオキシ−２−エチルヘキサノエート等の過酸化物、アゾビスイソブチロニトリル、２，２’−アゾビス−２−メチルブチロニトリル等のアゾ化合物等が挙げられる。その使用量は特に限定されないが、通常は、モノマー（Ａ）と（Ｂ）との合計量１００質量部に対して、０．１〜５質量部が好ましい。
【００４０】
本発明の撥水撥油剤は、前記共重合体を含有するものであり、さらに、有機溶剤を含むことが出来る。このような有機溶媒としては、例えば、上記例示した脂肪族炭化水素、ジオール化合物誘導体、などが挙げられる。なお、有機溶媒は、共重合体の製造時に用いた有機溶媒をそのまま用いてもよく、必要に応じて有機溶媒で希釈してもよく、他の有機溶媒に置換してもよい。
【００４１】
本発明の撥水撥油剤には、発明の目的に反しない範囲で、他の撥水剤、その他の撥油剤、架橋剤、防虫剤、難燃剤、防シワ剤、帯電防止剤、柔軟仕上げ剤、防腐剤、芳香剤、酸化防止剤を必要に応じ含有させることができる。
【００４２】
撥水撥油剤における共重合体の含有量は、特に限定されないが、１〜５０質量％であることが好ましい。
【００４３】
本発明の物品は、本発明の撥水撥油剤を用いて処理されたものである。処理方法としては、特に限定されず、塗布法、スプレー法、浸漬法などを適宜選択することができる。撥水撥油剤で処理される物品としては、特に限定されず、繊維、皮革、石材、木材、紙、ガラス、プラスチック、金属、電子基板などが挙げられる。なお、これらの物品を処理する方法は、各物品に応じた処理方法を適宜選択することができる。
【００４４】
本発明のコーティング剤は、本発明の共重合体と樹脂とを含有する。このような樹脂としては、特に限定されないが、例えば、アクリル樹脂、アクリルウレタン樹脂、アクリルシリコン樹脂、エポキシ樹脂、ビニル樹脂、シリコン樹脂などが挙げられる。これらのうち、アクリル樹脂が好ましい。
【００４５】
本発明のコーティング剤における本発明の共重合体の含有量は、特に限定されないが、０．１〜１０質量％であることが好ましく、０．３〜７質量％であることがより好ましい。
【００４６】
本発明のコーティング剤における本発明の樹脂の含有量は、特に限定されないが、１〜５０質量％であることが好ましく、５〜４０質量％であることがより好ましい。
【００４７】
本発明のコーティング剤は、さらに有機溶媒を含むことができる。有機溶媒の含有量は特に限定されないが、１０〜９８．９質量％であることが好ましく、２０〜９４質量％であることがより好ましい。
【００４８】
本発明のコーティング剤には、発明の目的に反しない範囲で、他の撥水剤、その他の撥油剤、架橋剤、難燃剤、帯電防止剤、防腐剤、酸化防止剤、顔料、レベリング剤、可塑剤、分散剤、を必要に応じ含有させることができる。
【実施例】
【００４９】
以下、実施例により本発明をさらに具体的に説明するが、本発明は以下の実施例に限定されるものではない。なお、以下の実施例及び比較例において、「部」又は「％」とあるのは特に指定しない限り、質量基準とする。
【００５０】
（使用原料）
・フッ素含有モノマー（Ａ）
（Ａ−１）パーフルオロブチルエチルメタクリレート
（Ａ−２）パーフルオロヘキシルエチルメタクリレート
（Ａ−３）パーフルオロヘキシルメタクリレート
【００５１】
・（メタ）アクリレート基を３つ以上有する化合物（Ｂ）
（Ｂ−１）トリスアクリロキシエチルイソシアヌレート（商品名：ＧＸ−８４３０、第一工業製薬社製）
（Ｂ−２）トリスアクリロキシプロピルイソシアヌレート
（Ｂ−３）ジトリメチロールプロパンテトラアクリレート
【００５２】
・炭化水素環構造を有する（メタ）アクリレート化合物（Ｃ）
（Ｃ―１）シクロヘキシルアクリレート（大阪有機化学工業（株）製、商品名：ビスコート＃１５５）
（Ｃ−２）イソボルニルアクリレート（共栄社化学（株）製、商品名：ライトアクリレートＩＢ−ＸＡ）
（Ｃ−３）ベンジルメタクリレート（共栄社化学（株）製、商品名：ライトエステルＢＺ）
【００５３】
・（Ａ）〜（Ｃ）以外の（メタ）アクリレート化合物（Ｄ）
（Ｄ−１）ステアリルメタクリレート（共栄社化学（株）製、商品名：ライトエステルＳ）
（Ｄ−２）２−メタクロイロキシエチルアシッドホスフェート（共栄社化学（株）製、商品名：ライトエステルＰ−１Ｍ）
【００５４】
・有機溶媒
（Ｅ−１）酢酸エチル
（Ｅ−２）ジエチレングリコールジエチルエーテル
【００５５】
［実施例１〜１１、比較例１〜２］
撹拌機、温度計、窒素導入管及び還流管を備えた反応容器に、表１に記載の割合で（Ａ）〜（Ｅ）の（メタ）アクリレート化合物及び有機溶媒を加え、窒素置換を行った。続いて、ｔ−ブチルパーオキシピバレート（日油（株）製、商品名：パーブチルＰＶ）を、上記（Ａ）〜（Ｅ）の（メタ）アクリレート化合物の合計量１００質量部に対して３質量部となるように加え、６５℃で８時間反応させることにより、共重合体（固形分２５質量％）を得た。
【００５６】
＜試験片１（撥水撥油剤）＞
得られた共重合体（固形分２５質量％）を、反応に用いたものと同じ有機溶媒で２５倍に希釈することにより、撥水撥油剤を作製した。この希釈液を、アルミ板上に膜厚１μｍとなるようにスピンコート法により塗布し、１００℃のオーブンで１時間乾燥することにより、試験片１を作製した。
【００５７】
＜試験片２（コーティング剤）＞
得られた撥水撥油剤４質量部、アクリル樹脂（三菱レイヨン(株)製、商品名アクリペットＶＨ）９質量部および酢酸エチル８７質量部を混合することにより、コーティング剤を作製した。このコーティング剤を、ガラス板上に膜厚１μｍになるようにバーコーター法により塗布し、１００℃のオーブンで１時間乾燥することにより、試験片２を作製した。
【００５８】
上記撥水撥油剤およびコーティング剤を用いて、外観および安定性を下記の方法により評価した。また、上記試験片１および２を用いて、接触角（水およびヘキサデカン）および滑落角を下記の方法により評価した。結果を表１に示す。
【００５９】
（外観）
２０℃で２４時間静置した撥水撥油剤を目視で確認し、下記の基準で評価した。
○：濁りがみられない。
×：濁りが見られる。
【００６０】
（安定性）
−５℃および−２０℃で２４時間静置した撥水撥油剤を目視で確認し、下記の基準で評価した。
○：液の分離が見られない。
×：液の分離が見られる。
【００６１】
（接触角）
接触角測定装置（協和界面科学社製、商品名：接触角計Ｄｒｏｐ  Ｍａｓｔｅｒ  ５００）を用いて、塗布面における水およびヘキサデカンの接触角を測定し下記の基準で評価した。なお、水およびヘキサデカンの液滴容量は２μＬとした。
＜水の接触角＞
Ａ：１１０°以上
Ｂ：９０°以上１１０°未満
Ｃ：９０°未満
＜ヘキサデカンの接触角＞
Ａ：５０°以上
Ｂ：３０°以上５０°未満
Ｃ：３０°未満
【００６２】
（滑落角）
接触角測定装置（協和界面科学社製、商品名：接触角計Ｄｒｏｐ  Ｍａｓｔｅｒ  ５００）を用いて、、水平状態の塗布面に水を２０μｌ滴下したあと、試験片の傾斜角を徐々に大きくし、水液が滑り始めた時の傾斜角を滑落角として測定し、下記の基準で評価した。
Ａ：３０°未満
Ｂ：３０°以上４０°未満
Ｃ：４０°以上７０°未満
Ｄ：７０°以上９０°未満
Ｅ：９０°でも滑落しない
【００６３】
【表１】
2019112531.tif 000002
【００６４】
表１から明らかな通り、実施例１〜１１の共重合体を含む撥水撥油剤およびコーティング剤は、滑落角が小さいことがわかる。一方、比較例１および２は、傾斜角が９０°でも水滴が滑落しないことがわかる。
【産業上の利用可能性】
【００６５】
本発明の共重合体は、撥水撥油剤やコーティング剤として好適に用いることができる。